(57)【要約】  【課題】記憶されているオーバーレイ画像であって背景画像との論理演算処理が指定されているオーバーレイ画像を用いて出力画像を生成する場合においても、意図と異なる印刷結果が出力されることを防止し、正常な印刷結果を得ることができる画像処理装置を提供する。  【解決手段】画像処理装置上では、画像処理プログラム３０が動作している。画像処理プログラム３０は、オーバーレイ画像を記憶するデータ保存部３８と、データ保存部３８に記憶されているオーバーレイ画像が背景画像と論理演算されずに用いられる画像である場合、当該オーバーレイ画像を重ねて出力画像を描画し、前記画像記憶手段に記憶されているオーバーレイ画像が背景画像と論理演算されて用いられる画像である場合、当該オーバーレイ画像を用いた描画処理とは異なる処理を行う描画データ生成部３６とを有する。【選択図】図４
2009141921.tif 000002
【特許請求の範囲】
【請求項１】
オーバーレイ画像を記憶する画像記憶手段と、
前記画像記憶手段に記憶されているオーバーレイ画像が背景画像と論理演算されずに用いられる画像である場合、当該オーバーレイ画像を重ねて出力画像を描画し、前記画像記憶手段に記憶されているオーバーレイ画像が背景画像と論理演算されて用いられる画像である場合、当該オーバーレイ画像を用いた描画処理とは異なる処理を行う描画手段と
を有する画像処理装置。
【請求項２】
前記描画手段は、前記画像記憶手段に記憶されているオーバーレイ画像が背景画像と論理演算されずに用いられる画像であり、かつ、当該オーバーレイ画像がページに最初に描画される場合、当該オーバーレイ画像を重ねて出力画像を描画する
請求項１に記載の画像処理装置。
【請求項３】
前記描画手段は、前記画像記憶手段に記憶されているオーバーレイ画像が背景画像と論理演算されずに用いられる画像であり、かつ、当該オーバーレイ画像が重ねて描画される領域に画像が描画されていない場合、当該オーバーレイ画像を重ねて出力画像を描画する
請求項１又は２に記載の画像処理装置。
【請求項４】
前記描画手段は、前記画像記憶手段に記憶されているオーバーレイ画像が背景画像と論理演算されずに用いられる画像であり、かつ、当該オーバーレイ画像を重ねて描画される画像が正しい出力画像ではない場合、当該オーバーレイ画像のうち少なくともいずれかの色成分が描画される画像部分を重ねて出力画像を描画する
請求項１乃至３のいずれかに記載の画像処理装置。
【請求項５】
オーバーレイ画像を記憶する画像記憶手段と、
前記画像記憶手段に記憶されているオーバーレイ画像を重ねて描画される画像が正しい出力画像である場合、当該オーバーレイ画像を重ねて出力画像を描画し、前記画像記憶手段に記憶されているオーバーレイ画像を重ねて描画される画像が正しい出力画像ではなく、かつ、当該オーバーレイ画像が背景画像と論理演算されずに用いられる画像である場合、当該オーバーレイ画像のうち少なくともいずれかの色成分が描画される画像部分を重ねて出力画像を描画し、前記画像記憶手段に記憶されているオーバーレイ画像を重ねて描画される画像が正しい出力画像ではなく、かつ、当該オーバーレイ画像が背景画像と論理演算されて用いられる画像である場合、当該オーバーレイ画像を用いた描画処理とは異なる処理を行う描画手段と
を有する画像処理装置。
【請求項６】
オーバーレイ画像を記憶する画像記憶手段を有する画像処理装置において、
前記記憶されているオーバーレイ画像が背景画像と論理演算されずに用いられる画像であるか否かを判定し、
前記判定により、前記記憶されているオーバーレイ画像が背景画像と論理演算されずに用いられる画像であると判定された場合、当該オーバーレイ画像を重ねて出力画像を描画し、前記記憶されているオーバーレイ画像が背景画像と論理演算されて用いられる画像であると判定された場合、当該オーバーレイ画像を用いた描画処理とは異なる処理を行う
画像処理方法。
【請求項７】
オーバーレイ画像を記憶する画像記憶手段を有する画像処理装置において、
前記記憶されているオーバーレイ画像を重ねて描画される画像が正しい出力画像であるか否かを判定し、
前記判定により、前記記憶されているオーバーレイ画像を重ねて描画される画像が正しい出力画像であると判定された場合、当該オーバーレイ画像を重ねて出力画像を描画し、前記記憶されているオーバーレイ画像を重ねて描画される画像が正しい出力画像ではないと判定され、かつ、当該オーバーレイ画像が背景画像と論理演算されずに用いられる画像である場合、当該オーバーレイ画像のうち少なくともいずれかの色成分が描画される画像部分を重ねて出力画像を描画し、前記記憶されているオーバーレイ画像を重ねて描画される画像が正しい出力画像ではないと判定され、かつ、当該オーバーレイ画像が背景画像と論理演算されて用いられる画像である場合、当該オーバーレイ画像を用いた描画処理とは異なる処理を行う
画像処理方法。
【請求項８】
コンピュータと、オーバーレイ画像を記憶する画像記憶手段とを有する画像処理装置において、
前記記憶されているオーバーレイ画像が背景画像と論理演算されずに用いられる画像であるか否かを判定する判定ステップと、
前記判定により、前記記憶されているオーバーレイ画像が背景画像と論理演算されずに用いられる画像であると判定された場合、当該オーバーレイ画像を重ねて出力画像を描画し、前記記憶されているオーバーレイ画像が背景画像と論理演算されて用いられる画像であると判定された場合、当該オーバーレイ画像を用いた描画処理とは異なる処理を行う描画ステップと
を前記画像処理装置のコンピュータに実行させるプログラム。
【請求項９】
コンピュータと、オーバーレイ画像を記憶する画像記憶手段とを有する画像処理装置において、
前記記憶されているオーバーレイ画像を重ねて描画される画像が正しい出力画像であるか否かを判定する判定ステップと、
前記判定により、前記記憶されているオーバーレイ画像を重ねて描画される画像が正しい出力画像であると判定された場合、当該オーバーレイ画像を重ねて出力画像を描画し、前記記憶されているオーバーレイ画像を重ねて描画される画像が正しい出力画像ではないと判定され、かつ、当該オーバーレイ画像が背景画像と論理演算されずに用いられる画像である場合、当該オーバーレイ画像のうち少なくともいずれかの色成分が描画される画像部分を重ねて出力画像を描画し、前記記憶されているオーバーレイ画像を重ねて描画される画像が正しい出力画像ではないと判定され、かつ、当該オーバーレイ画像が背景画像と論理演算されて用いられる画像である場合、当該オーバーレイ画像を用いた描画処理とは異なる処理を行う描画ステップと
を前記画像処理装置のコンピュータに実行させるプログラム。
【発明の詳細な説明】
【技術分野】
【０００１】
本発明は、オーバーレイ画像を重ねて出力画像を描画する画像処理装置に関する。
【背景技術】
【０００２】
この種の画像処理装置は、予め描画されたオーバーレイ画像を記憶しておき、印刷データを受信すると、記憶されているオーバーレイ画像を用いて出力画像を生成する。したがって、オーバーレイ画像の描画処理が省略されるので、出力画像は、より高速に生成される。
【０００３】
特許文献１では、オーバーレイデータをページ用ビットマップに直接描画する第１描画処理と、オーバーレイ用ビットマップに展開した上でページ用ビットマップにコピーする第２描画処理とを条件によって切り替えて印刷データを描画する手法が開示されている。
【０００４】
【特許文献１】特開２００２−６７４２３号公報
【発明の開示】
【発明が解決しようとする課題】
【０００５】
しかしながら、特許文献１に開示された手法では、記憶されているオーバーレイ画像を用いて生成される出力画像と、このオーバーレイ画像を用いずに生成される出力画像とが異なってしまうことがある。
【０００６】
本発明は、記憶されているオーバーレイ画像であって背景画像との論理演算処理が指定されているオーバーレイ画像を用いて出力画像を生成する場合においても、意図と異なる印刷結果が出力されることを防止し、正常な印刷結果を得ることができる画像処理装置を提供することを目的とする。
【課題を解決するための手段】
【０００７】
上記目的を達成するために、本発明に係る第１の画像処理装置は、オーバーレイ画像を記憶する画像記憶手段と、前記画像記憶手段に記憶されているオーバーレイ画像が背景画像と論理演算されずに用いられる画像である場合、当該オーバーレイ画像を重ねて出力画像を描画し、前記画像記憶手段に記憶されているオーバーレイ画像が背景画像と論理演算されて用いられる画像である場合、当該オーバーレイ画像を用いた描画処理とは異なる処理を行う描画手段とを有する。本発明によれば、記憶されているオーバーレイ画像であって背景画像との論理演算処理が指定されているオーバーレイ画像を用いて出力画像を生成する場合においても、意図と異なる印刷結果が出力されることを防止し、正常な印刷結果を得ることができる。
【０００８】
好適には、前記描画手段は、前記画像記憶手段に記憶されているオーバーレイ画像が背景画像と論理演算されずに用いられる画像であり、かつ、当該オーバーレイ画像がページに最初に描画される場合、当該オーバーレイ画像を重ねて出力画像を描画する。本発明によれば、記憶されているオーバーレイ画像が使用される機会が増加するので、性能を向上することができる。
【０００９】
好適には、前記描画手段は、前記画像記憶手段に記憶されているオーバーレイ画像が背景画像と論理演算されずに用いられる画像であり、かつ、当該オーバーレイ画像が重ねて描画される領域に画像が描画されていない場合、当該オーバーレイ画像を重ねて出力画像を描画する。本発明によれば、記憶されているオーバーレイ画像が使用される機会が増加するので、性能を向上することができる。
【００１０】
好適には、前記描画手段は、前記画像記憶手段に記憶されているオーバーレイ画像が背景画像と論理演算されずに用いられる画像であり、かつ、当該オーバーレイ画像を重ねて描画される画像が正しい出力画像ではない場合、当該オーバーレイ画像のうち少なくともいずれかの色成分が描画される画像部分を重ねて出力画像を描画する。本発明によれば、記憶されているオーバーレイ画像の少なくとも一部を用いて出力画像が描画されるので、性能を向上することができる。
【００１１】
本発明に係る第２の画像処理装置は、オーバーレイ画像を記憶する画像記憶手段と、前記画像記憶手段に記憶されているオーバーレイ画像を重ねて描画される画像が正しい出力画像である場合、当該オーバーレイ画像を重ねて出力画像を描画し、前記画像記憶手段に記憶されているオーバーレイ画像を重ねて描画される画像が正しい出力画像ではなく、かつ、当該オーバーレイ画像が背景画像と論理演算されずに用いられる画像である場合、当該オーバーレイ画像のうち少なくともいずれかの色成分が描画される画像部分を重ねて出力画像を描画し、前記画像記憶手段に記憶されているオーバーレイ画像を重ねて描画される画像が正しい出力画像ではなく、かつ、当該オーバーレイ画像が背景画像と論理演算されて用いられる画像である場合、当該オーバーレイ画像を用いた描画処理とは異なる処理を行う描画手段とを有する。本発明によれば、記憶されているオーバーレイ画像であって背景画像との論理演算処理が指定されているオーバーレイ画像を用いて出力画像を生成する場合においても、記憶されているオーバーレイ画像が使用される機会を増加することにより性能を向上しつつ、意図と異なる印刷結果が出力されることを防止し、正常な印刷結果を得ることができる。
【００１２】
本発明に係る第１の画像処理方法は、オーバーレイ画像を記憶する画像記憶手段を有する画像処理装置において、前記記憶されているオーバーレイ画像が背景画像と論理演算されずに用いられる画像であるか否かを判定し、前記判定により、前記記憶されているオーバーレイ画像が背景画像と論理演算されずに用いられる画像であると判定された場合、当該オーバーレイ画像を重ねて出力画像を描画し、前記記憶されているオーバーレイ画像が背景画像と論理演算されて用いられる画像であると判定された場合、当該オーバーレイ画像を用いた描画処理とは異なる処理を行う。
【００１３】
本発明に係る第２の画像処理方法は、オーバーレイ画像を記憶する画像記憶手段を有する画像処理装置において、前記記憶されているオーバーレイ画像を重ねて描画される画像が正しい出力画像であるか否かを判定し、前記判定により、前記記憶されているオーバーレイ画像を重ねて描画される画像が正しい出力画像であると判定された場合、当該オーバーレイ画像を重ねて出力画像を描画し、前記記憶されているオーバーレイ画像を重ねて描画される画像が正しい出力画像ではないと判定され、かつ、当該オーバーレイ画像が背景画像と論理演算されずに用いられる画像である場合、当該オーバーレイ画像のうち少なくともいずれかの色成分が描画される画像部分を重ねて出力画像を描画し、前記記憶されているオーバーレイ画像を重ねて描画される画像が正しい出力画像ではないと判定され、かつ、当該オーバーレイ画像が背景画像と論理演算されて用いられる画像である場合、当該オーバーレイ画像を用いた描画処理とは異なる処理を行う。
【００１４】
本発明に係る第１のプログラムは、コンピュータと、オーバーレイ画像を記憶する画像記憶手段とを有する画像処理装置において、前記記憶されているオーバーレイ画像が背景画像と論理演算されずに用いられる画像であるか否かを判定する判定ステップと、前記判定により、前記記憶されているオーバーレイ画像が背景画像と論理演算されずに用いられる画像であると判定された場合、当該オーバーレイ画像を重ねて出力画像を描画し、前記記憶されているオーバーレイ画像が背景画像と論理演算されて用いられる画像であると判定された場合、当該オーバーレイ画像を用いた描画処理とは異なる処理を行う描画ステップとを前記画像処理装置のコンピュータに実行させる。
【００１５】
本発明に係る第２のプログラムは、コンピュータと、オーバーレイ画像を記憶する画像記憶手段とを有する画像処理装置において、前記記憶されているオーバーレイ画像を重ねて描画される画像が正しい出力画像であるか否かを判定する判定ステップと、前記判定により、前記記憶されているオーバーレイ画像を重ねて描画される画像が正しい出力画像であると判定された場合、当該オーバーレイ画像を重ねて出力画像を描画し、前記記憶されているオーバーレイ画像を重ねて描画される画像が正しい出力画像ではないと判定され、かつ、当該オーバーレイ画像が背景画像と論理演算されずに用いられる画像である場合、当該オーバーレイ画像のうち少なくともいずれかの色成分が描画される画像部分を重ねて出力画像を描画し、前記記憶されているオーバーレイ画像を重ねて描画される画像が正しい出力画像ではないと判定され、かつ、当該オーバーレイ画像が背景画像と論理演算されて用いられる画像である場合、当該オーバーレイ画像を用いた描画処理とは異なる処理を行う描画ステップとを前記画像処理装置のコンピュータに実行させる。
【発明の効果】
【００１６】
本発明に係る画像処理装置によれば、記憶されているオーバーレイ画像であって背景画像との論理演算処理が指定されているオーバーレイ画像を用いて出力画像を生成する場合においても、意図と異なる印刷結果が出力されることを防止し、正常な印刷結果を得ることができる。
【発明を実施するための最良の形態】
【００１７】
まず、本発明の背景を説明する。
画像処理装置は、まず、オーバーレイ画像を描画し、次に、可変のページデータを描画して、出力画像を生成することが多い。画像処理装置は、ページ内で複数のオーバーレイ画像を用いることもあるし、ページデータを描画した後にこのページデータに対応するオーバーレイ画像を用いることもある。したがって、可変のページデータとオーバーレイ画像とが、又はオーバーレイ画像同士が重なることがある。
【００１８】
図１は、記憶されているオーバーレイ画像と、可変のページデータに基づくページ画像とを用いて生成された出力結果を例示する図である。
図１（Ａ）は、１ページ分の出力画像を生成するために用いられるオーバーレイ画像１〜４及びページ画像を例示する図である。図１（Ａ）に示すように、オーバーレイ画像１は、ハッチングされた下地画像であり、オーバーレイ画像２は、表の罫線画像であり、オーバーレイ画像３，４は、広告画像である。ここで、オーバーレイ画像２の枠内は、白指定がされていない画像領域であり、オーバーレイ画像３は、白指定がされている画像であり、オーバーレイ画像４は、所定の色で描画された画像である。ページ画像は、可変のページデータに基づいて描画される画像である。
【００１９】
出力画像には、オーバーレイ画像１が最初に重ねて合成され、ページ画像が次に重ねて描画される。ページ画像が描画された後、さらに、オーバーレイ画像２〜４が、順不同で重ねて合成される。
【００２０】
図１（Ｂ）〜図１（Ｄ）は、生成された出力結果１〜３を示す。図１（Ｂ）に示される出力結果１は、正しい出力結果である。図１（Ｂ）に示すように、オーバーレイ画像２の枠内には数値等の文字情報が描画され、オーバーレイ画像３，４は、正しい色で描画されている。
【００２１】
図１（Ｃ）に示される出力結果２は、オーバーレイ画像１〜４が上書き貼り付け方式で重ねて合成された出力結果を示す。図１（Ｃ）に示すように、出力結果２では、オーバーレイ画像２が上書きで重ねられたことにより、ページ画像に含まれる文字情報が消えている。このように、オーバーレイ画像が上書きで重ねられる場合、上書きされた領域に存在した情報は消えてしまう。
【００２２】
図１（Ｄ）に示される出力結果３は、オーバーレイ画像１〜４が透過貼り付け方式で重ねて合成された出力結果を示す。図１（Ｄ）に示すように、出力結果３では、オーバーレイ画像３，４が透かして重ねられたことにより、オーバーレイ画像３の画像領域では、背景色が白抜き部分にかぶっており、オーバーレイ画像４の画像領域では、背景色により広告画像の色が変わっている。このように、オーバーレイ画像が透かして重ねられる場合、重ねられた領域に存在した情報が消えることはない一方、背景色とオーバーレイ画像の色とが混合してしまう。
【００２３】
また、印刷データには、ＲＯＰ（Rater Operation）指定が含まれていることがある。ＲＯＰ指定が含まれている場合、２以上の描画オブジェクトが重ね合わされる際に、論理演算処理が行われる。例えば、背景画像とオーバーレイ画像との間で、ＡＮＤ、ＯＲ、ＮＯＴ、ＸＯＲ等の論理演算処理が行われる。
【００２４】
図２は、背景画像と記憶されているオーバーレイ画像とが論理演算されて生成された画像を例示する図であって、図２（Ａ）は、背景画像が黒である場合を示し、図２（Ｂ）は、背景画像が白である場合を示し、図２（Ｃ）は、背景画像が赤である場合を示す。なお、論理演算は、排他的論理和（ＸＯＲ）演算である。また、色空間は、ＲＧＢ色空間であり、オーバーレイ画像は、黄色の下地に赤で文字「Ａ」が描かれた画像である。
【００２５】
図２（Ａ）に示すように、背景画像（黒）とオーバーレイ画像との間でＸＯＲ演算が行われた場合、出力結果において、オーバーレイ画像が論理演算された画像部分の色は、演算前のオーバーレイ画像の色と変わらない。
【００２６】
図２（Ｂ）に示すように、背景画像（白）とオーバーレイ画像との間でＸＯＲ演算が行われた場合、出力画像において、当該画像部分の色は、演算前のオーバーレイ画像の色とは異なる色に変わってしまう。具体的には、当該画像部分の下地の色は青に、文字Ａの色は水色に変わる。
【００２７】
図２（Ｃ）に示すように、背景画像（赤）とオーバーレイ画像との間でＸＯＲ演算が行われた場合もまた、出力画像において、当該画像部分の色は、演算前のオーバーレイ画像の色とは異なる色に変わってしまう。具体的には、当該画像部分の下地の色は緑に、文字Ａの色は黒に変わる。
【００２８】
このように、印刷データ内にＲＯＰ指定がある場合、出力結果は、新たに書き込まれるオブジェクトの背景にどのようなデータが存在するかによって異なる。したがって、ＲＯＰ指定が、背景データとの論理演算が必要となるものであり、印刷データ内に含まれる場合、オーバーレイ画像が展開される画像領域内に存在する描画データの有無によって、オーバーレイ画像が展開された出力結果が異なってしまう。このため、このようなＲＯＰ指定がなされている場合、描画済みのオーバーレイ画像は用いられることができず、再描画が必要となる。
以下、本発明の実施形態に係る画像処理装置を説明する。
【００２９】
まず、本発明の第１の実施形態に係る画像処理装置を説明する。
図３は、本発明の実施形態に係る画像処理装置１２を含む画像形成装置１０のハードウェア構成を示す図である。
図３に示すように、画像形成装置１０は、画像処理装置１２と、この画像処理装置１２により生成された画像を印刷する印刷部２８とを有する。画像処理装置１２は、ＣＰＵ１４、メモリ１６、ハードディスク駆動装置等の記憶装置１８、ユーザインタフェース（ＵＩ）装置２０、通信インタフェース（ＩＦ）２２及び印刷ＩＦ２４を有する。これらの構成要素は、バス２６を介して接続されている。
【００３０】
ＵＩ装置２０は、例えば、液晶ディスプレイ、ＬＥＤ（Light Emitting Diode）等の表示装置と、キーボード、マウス等の入力装置とを含む。ＵＩ装置２０は、タッチパネルにより構成されてもよい。通信ＩＦ２２は、図示しないネットワークを介して外部のコンピュータとデータの通信を行う。印刷ＩＦ２４は、印刷部２８に対して、画像データを出力する。
【００３１】
印刷部２８は、例えば、イエロー（Ｙ）、マゼンタ（Ｍ）、シアン（Ｃ）、黒（Ｋ）の各色成分に対応する印刷手段を有する。印刷手段は、電子写真方式により実現されてもよいし、インクジェット方式により実現されてもよい。
【００３２】
図４は、本発明の実施形態に係る画像処理装置１２による画像処理方法を実現し、ＣＰＵ１４上で動作する画像処理プログラム３０の機能構成を示すブロック図である。
図４に示すように、画像処理プログラム３０は、受信部３２、データ配信部３４、描画データ生成部３６Ｃ，３６Ｍ，３６Ｙ，３６Ｋ、及びデータ保存部３８Ｃ，３８Ｍ，３８Ｙ，３８Ｋを有する。なお、画像処理プログラム３０の全部又は一部の機能は、画像処理装置１２に設けられたハードウェアにより実現されてもよい。
【００３３】
画像処理プログラム３０において、受信部３２は、図示しない外部のホストコンピュータから送信される印刷データを、通信ＩＦ２２を介して受信する。印刷データは、文字、図形、イメージ等が所定のページ記述言語（ＰＤＬ； Page Description Language）等により記載されている。受信部３２は、受信された印刷データを、データ配信部３４に対して出力する。なお、受信部３２は、ＣＤ、ＤＶＤ等の記録媒体を介して読み込まれた印刷データを受け付けてもよい。
【００３４】
印刷データには、リソースデータ及びページデータの少なくともいずれかが含まれている。リソースデータは、オーバーレイ画像など再利用可能な画像を描画するためのデータである。リソースデータには、ＲＯＰ指定が含まれていることがある。ページデータは、例えば、数値、文字、記号等、各ページ画像を描画するための可変データである。
【００３５】
データ配信部３４は、印刷データを、描画データ生成部３６Ｃ，３６Ｍ，３６Ｙ，３６Ｋに対して配信する。
【００３６】
描画データ生成部３６Ｃ，３６Ｍ，３６Ｙ，３６Ｋは、印刷データに基づいて、各色成分の２値画像を描画し、２値画像データを生成する。例えば、描画データ生成部３６Ｃは、シアンに関する２値画像データを生成する。描画データ生成部３６Ｃ，３６Ｍ，３６Ｙ，３６Ｋは、生成した２値画像データを、１ページ毎、印刷部２８Ｃ，２８Ｍ，２８Ｙ，２８Ｋに対して出力する。また、描画データ生成部３６Ｃ，３６Ｍ，３６Ｙ，３６Ｋは、リソースデータに基づいて生成された２値画像（オーバーレイ画像）を、データ保存部３８Ｃ，３８Ｍ，３８Ｙ，３８Ｋに保存する。 
【００３７】
なお、描画データ生成部３６Ｃ，３６Ｍ，３６Ｙ，３６Ｋについては、後で詳述する。また、以降、描画データ生成部３６Ｃ，３６Ｍ，３６Ｙ，３６Ｋなど、複数ある構成要素のいずれかを特定せずに示す場合には、単に描画データ生成部３６と略記することがある。
【００３８】
データ保存部３８Ｃ，３８Ｍ，３８Ｙ，３８Ｋは、描画データ生成部３６Ｃ，３６Ｍ，３６Ｙ，３６Ｋにより生成された各色成分の２値画像データを記憶する。より具体的には、データ保存部３８は、オーバーレイ画像を記憶する。データ保存部３８は、メモリ１６及び記憶装置１８の少なくともいずれかにより実現される。
【００３９】
図５は、描画データ生成部３６Ｃ，３６Ｍ，３６Ｙ，３６Ｋの詳細な構成を示すブロック図である。
図５に示すように、描画データ生成部３６は、データ受付部３６０、描画制御部３６２、判定部３６４、オーバーレイ管理テーブル３６６及び一時記憶部３６８を有する。
描画データ生成部３６において、データ受付部３６０は、データ配信部３４により配信された印刷データを受け付けて、描画制御部３６２に対して出力する。
【００４０】
オーバーレイ管理テーブル３６６は、オーバーレイ画像を管理するための情報が保存されるテーブルである。オーバーレイ管理テーブル３６６は、メモリ１６及び記憶装置１８の少なくともいずれかに記憶される。なお、オーバーレイ管理テーブル３６６については、後で詳述する。
【００４１】
一時記憶部３６８は、後述する描画制御部３６２により描画される過程における２値画像を記憶する。例えば、一時記憶部３６８には、生成中のオーバーレイ画像、出力画像等が記憶される。なお、一時記憶部３６８に記憶される２値画像は、所定の契機で削除される。
【００４２】
判定部３６４は、記憶されているオーバーレイ画像を重ねて描画される画像は正しい出力画像であるか否かを判定する。本実施形態では、判定部３６４は、データ保存部３８に記憶されているオーバーレイ画像が背景画像と論理演算されて用いられる画像であるか否かを判定する。具体的には、判定部３６４は、オーバーレイ画像が背景画像と論理演算されて用いられる画像である場合、当該オーバーレイ画像を重ねて描画される画像は正しい出力画像ではないと判定し、オーバーレイ画像が背景画像と論理演算されずに用いられる画像である場合、当該オーバーレイ画像を重ねて描画される画像は正しい出力画像であると判定する。記憶されているオーバーレイ画像を重ねて描画される画像が正しい出力画像である場合、オーバーレイ画像は、出力画像に影響を及ぼすことなく用いられることが可能である。
【００４３】
判定部３６４は、記憶されているオーバーレイ画像がページに最初に描画されるものであるか否かをさらに判定することにより、当該オーバーレイ画像を重ねて描画される画像は正しい出力画像であるか否かを判定してもよい。具体的には、判定部３６４は、記憶されているオーバーレイ画像が背景画像と論理演算されずに用いられる画像であり、かつ、当該オーバーレイ画像がページに最初に描画されるものである場合、当該オーバーレイ画像を重ねて描画される画像は正しい出力画像であると判定する。例えば、判定部３６４は、当該ページについて、オーバーレイ展開指示以外の描画指示・命令が処理されていない場合、オーバーレイ画像がページに最初に描画されると判定する。
【００４４】
描画制御部３６２は、描画データ生成部３６に含まれる他の構成要素を制御し、データ受付部３６０により受け付けられた印刷データに基づいて画像を描画する。より具体的には、描画制御部３６２は、印刷データにリソースデータが含まれている場合、リソースデータに基づいてオーバーレイ画像を描画し、データ保存部３８に保存する。また、描画制御部３６２は、このオーバーレイ画像にオーバーレイＩＤを付与し、オーバーレイ画像を管理するためのデータをオーバーレイ管理テーブル３６６に登録する。
【００４５】
描画制御部３６２は、印刷データにページデータが含まれている場合、ページデータに基づいてページ画像を描画し、出力画像を生成し、１ページ毎、出力画像データを印刷部２８に対して出力する。ここで、描画制御部３６２は、印刷データに含まれる指示・命令を、逐次、解析して、出力画像を生成する。
【００４６】
描画制御部３６２は、オーバーレイ展開指示が印刷データに含まれている場合、上記の判定処理を判定部３６４に実行させ、判定結果を受け付ける。描画制御部３６２は、記憶されているオーバーレイ画像を重ねて描画される画像は正しい出力画像である旨の結果を受け付けた場合、オーバーレイ管理テーブル３６６を参照し、データ保存部３８に記憶されているオーバーレイ画像を読み出し、このオーバーレイ画像を重ねて出力画像を描画する。ここで、描画制御部３６２は、オーバーレイ画像を、上書き貼り付け方式で重ねてもよいし、透過貼り付け方式で重ねてもよい。
【００４７】
一方、記憶されているオーバーレイ画像を重ねて描画される画像は正しい出力画像ではない旨の結果を受け付けた場合、描画制御部３６２は、データ保存部３８に記憶されているオーバーレイ画像を用いた描画処理とは異なる処理を行う。より具体的には、描画制御部３６２は、描画制御部３６２は、データ保存部３８に記憶されている当該オーバーレイ画像に対応するリソースデータを読み出し、オーバーレイ画像を再描画して出力画像を描画する。
【００４８】
図６は、オーバーレイ管理テーブル３６６に記憶される内容を示す図である。
図６に示すように、オーバーレイ管理テーブル３６６には、オーバーレイ画像を識別する識別子（オーバーレイＩＤ）と、このオーバーレイＩＤに対応する２値画像（オーバーレイ画像）データの保存先アドレスと、この２値画像データに対応するリソースデータの保存先アドレスと、ＲＯＰフラグとを含むデータが記憶されている。
【００４９】
本実施形態では、ＲＯＰフラグは、オーバーレイ画像が背景画像と論理演算されて用いられる画像であるか否かを示すものである。例えば、ＲＯＰフラグが０である場合、オーバーレイ画像は、背景画像と論理演算されずに用いられる画像である。また例えば、ＲＯＰフラグが１である場合、オーバーレイ画像は、背景画像と論理演算されて用いられる画像である。
【００５０】
次に、本発明の実施形態に係る画像処理装置１２の動作を説明する。
図７は、本発明の実施形態に係る画像処理装置１２がリソースデータを受信した場合に実行される画像処理（Ｓ１０）のフローチャートを示す。
図７に示すように、ステップ１００（Ｓ１００）において、画像処理プログラム３０の受信部３２は、送信されたリソースデータを、通信ＩＦ２２を介して受信する。
ステップ１０２（Ｓ１０２）において、データ配信部３４は、リソースデータを、描画データ生成部３６Ｃ，３６Ｍ，３６Ｙ，３６Ｋに対して配信する。
【００５１】
ステップ１０４（Ｓ１０４）において、描画データ生成部３６のデータ受付部３６０は、リソースデータを受け付け、描画制御部３６２は、リソースデータに含まれる指示・命令を解釈し、描画対象の画像がオーバーレイ画像であるか否かを判定する。描画対象の画像がオーバーレイ画像である場合、描画制御部３６２は、Ｓ１０６の処理に進む。一方、描画対象の画像がオーバーレイ画像でない場合、描画制御部３６２は、所定の処理を行って画像処理を終了する。
【００５２】
ステップ１０６（Ｓ１０６）において、描画制御部３６２は、ＲＯＰフラグを初期化する。具体的には、描画制御部３６２は、ＲＯＰフラグを０にする。
【００５３】
ステップ１０８（Ｓ１０８）において、描画制御部３６２は、リソースデータを、データ保存部３８に保存する。
ステップ１１０（Ｓ１１０）において、描画制御部３６２は、リソースデータに含まれる指示・命令がオーバーレイ終了データか否かを判定する。描画制御部３６２は、指示・命令がオーバーレイ終了データである場合にはＳ１１８の処理に進み、そうでない場合にはＳ１１２の処理に進む。
【００５４】
ステップ１１２（Ｓ１１２）において、描画制御部３６２は、リソースデータに基づいてＲＩＰ（Raster Image Processor）処理を行ってオーバーレイ画像を描画する。具体的には、描画制御部３６２は、リソースデータを解釈して、画像のビットマップ展開を行う。
【００５５】
ステップ１１４（Ｓ１１４）において、描画制御部３６２は、背景データと論理演算処理を行うためのＲＯＰ指定が含まれているか否かを判定する。描画制御部３６２は、ＲＯＰ指定が含まれている場合にはＳ１１６の処理に進み、そうでない場合にはＳ１０８の処理に戻る。
【００５６】
ステップ１１６（Ｓ１１６）において、描画制御部３６２は、ＲＯＰフラグを立てる。具体的には、描画制御部３６２は、ＲＯＰフラグを１にする。その後、描画制御部３６２は、Ｓ１０８の処理に戻る。
【００５７】
ステップ１１８（Ｓ１１８）において、描画制御部３６２は、描画されたオーバーレイ画像をデータ保存部３８に保存する。
ステップ１２０（Ｓ１２０）において、描画制御部３６２は、描画されたオーバーレイ画像に関するデータ、このオーバーレイ画像に対応するリソースデータに関するデータ及びＲＯＰフラグを、オーバーレイ管理テーブル３６６に登録する。
【００５８】
図８は、本発明の実施形態に係る画像処理装置１２がページデータを受信した場合に実行される画像処理（Ｓ２０）のフローチャートを示す。
図８に示すように、ステップ２００（Ｓ２００）において、画像処理プログラム３０の受信部３２は、送信されたページデータを、通信ＩＦ２２を介して受信する。
ステップ２０２（Ｓ２０２）において、データ配信部３４は、ページデータを、描画データ生成部３６Ｃ，３６Ｍ，３６Ｙ，３６Ｋに対して配信する。
【００５９】
ステップ２０４（Ｓ２０４）において、描画データ生成部３６のデータ受付部３６０は、ページデータを受け付け、描画制御部３６２は、ページデータに含まれる指示・命令を解釈し、指示・命令がオーバーレイ展開指示であるか否かを判定する。指示命令がオーバーレイ展開指示である場合、描画制御部３６２は、後述するオーバーレイ展開処理（Ｓ３０）を行って出力画像を描画し、Ｓ２０８の処理に進む。一方、指示・命令がオーバーレイ展開指示でない場合、描画制御部３６２は、Ｓ２０６の処理に進む。
【００６０】
ステップ２０６（Ｓ２０６）において、描画制御部３６２は、ページデータに基づいてＲＩＰ処理を行って出力画像を描画する。
ステップ２０８（Ｓ２０８）において、描画制御部３６２は、ページデータを解釈し、１ページ分の出力画像の生成を終了したか否かを判定する。描画制御部３６２は、１ページ分の出力画像の生成を終了した場合にはＳ２１０の処理に進み、そうでない場合にはＳ２０４の処理に戻る。
【００６１】
ステップ２１０（Ｓ２１０）において、描画制御部３６２は、生成した１ページ分の出力画像データを、印刷部２８に対して出力する。印刷部２８Ｃ，２８Ｍ，２８Ｙ，２８Ｋは、出力画像データに基づいて、各色成分に対応する出力画像を用紙等の記録媒体に印刷する。
【００６２】
ステップ２１２（Ｓ２１２）において、描画制御部３６２は、ページデータに含まれる全ページ分の出力画像の生成を終了したか否かを判定する。描画制御部３６２は、全ページ分の出力画像の生成を終了した場合には処理を終了し、そうでない場合にはＳ２０４の処理に戻って、次のページに関する処理を行う。
【００６３】
図９は、本実施形態におけるオーバーレイ展開処理（Ｓ３０）のフローチャートを示す。
図９に示すように、ステップ３００（Ｓ３００）において、描画データ生成部３６の判定部３６４は、データ保存部３８に記憶されているオーバーレイ画像が背景画像と論理演算されずに用いられる画像であるか否かを判定する。具体的には、判定部３６４は、オーバーレイ管理テーブル３６６を参照し、当該オーバーレイ画像のＲＯＰフラグが０であるか否かを判定する。描画データ生成部３６は、ＲＯＰフラグが０である場合にはＳ３０２の処理に進み、ＲＯＰフラグが１である場合にはＳ３０６の処理に進んでＳ３０４の処理とは異なる処理を行う。
【００６４】
ステップ３０２（Ｓ３０２）において、描画データ生成部３６の判定部３６４は、データ保存部３８に記憶されているオーバーレイ画像がページに最初に描画される画像であるか否かを判定する。描画データ生成部３６は、当該オーバーレイ画像がページに最初に描画されるものである場合にはＳ３０４の処理に進み、そうでない場合にはＳ３０６の処理に進んでＳ３０４の処理とは異なる処理を行う。
【００６５】
ステップ３０４（Ｓ３０４）において、描画制御部３６２は、データ保存部３８に記憶されているオーバーレイ画像を読み出し、出力画像において重ね合わせ処理の対象となる部分画像領域に、当該オーバーレイ画像を貼り付けて合成し、処理を終了する。
【００６６】
ステップ３０６（Ｓ３０６）において、描画制御部３６２は、データ保存部３８に記憶されているリソースデータの読み出しを開始する。
ステップ３０８（Ｓ３０８）において、描画制御部３６２は、記憶されているリソースデータの読み込む。
【００６７】
ステップ３１０（Ｓ３１０）において、描画制御部３６２は、リソースデータに基づいてＲＩＰ処理を行ってオーバーレイ画像を出力画像に描画する。
ステップ３１２（Ｓ３１２）において、描画制御部３６２は、オーバーレイ画像の描画を終了したか否かを判定し、描画を終了した場合には処理を終了し、そうでない場合にはＳ３０８の処理に戻る。
【００６８】
次に、本発明の第２の実施形態に係る画像処理装置１２を説明する。
本実施形態に係る画像処理装置１２は、出力画像においてオーバーレイ画像の重ね合わせ処理の対象となる部分画像領域に画像が既に描画されているか否かをさらに判定する点で、第１の実施形態に係る画像処理装置１２とは異なる。
【００６９】
本実施形態では、画像処理プログラム３０の描画データ生成部３６において、判定部３６４は、データ保存部３８に記憶されているオーバーレイ画像が重ねて描画される領域に画像が描画されているか否かをさらに判定することにより、当該オーバーレイ画像を重ねて描画される画像は正しい出力画像であるか否かを判定する。具体的には、判定部３６４は、記憶されているオーバーレイ画像が背景画像と論理演算されずに用いられる画像であり、当該オーバーレイ画像がページに最初に描画されるものではない場合であっても、当該オーバーレイ画像が重ねて描画される領域に画像が描画されていない場合、当該オーバーレイ画像を重ねて描画される画像は正しい出力画像であると判定する。
【００７０】
図１０は、本実施形態におけるオーバーレイ展開処理（Ｓ４０）のフローチャートを示す。なお、図１０に示された各処理のうち、図９に示された処理と実質的に同一のものには同一の符号が付されている。
図１０に示すように、Ｓ３０２の処理で、描画データ生成部３６の判定部３６４により、オーバーレイ画像がページに最初に描画されるものではないと判定された場合、描画データ生成部３６は、Ｓ４００の処理に進む。
【００７１】
ステップ４００（Ｓ４００）において、判定部３６４は、オーバーレイ展開指示等に基づいて、出力画像においてオーバーレイ画像の重ね合わせ処理の対象となる部分画像領域を算出する。
【００７２】
ステップ４０２（Ｓ４０２）において、判定部３６４は、例えば一時記憶部３６８に記憶されている生成中の出力画像データを参照し、当該部分画像領域の各画素について、ビットが立っているか否かを確認する。ビットが立っている場合、当該画素には、少なくともいずれかの色成分で画像が描画されている。
【００７３】
ステップ４０４（Ｓ４０４）において、判定部３６４は、当該部分画像領域の全ての画素において、いずれの色成分においてもビットが０であるか否かを判定する。描画データ生成部３６は、いずれの色成分においてもビットが０である場合にはＳ３０４の処理に進み、そうでない場合にはＳ３０６の処理に進む。
【００７４】
したがって、オーバーレイ画像がページに最初に描画されない場合であっても、当該領域に画像がまだ描画されていない場合においては、Ｓ３０４の処理で、オーバーレイ画像が、描画制御部３６２により、出力画像において重ね合わせ処理の対象となる部分画像領域に貼り付けられる。
【００７５】
次に、本発明の第３の実施形態に係る画像処理装置１２を説明する。
本実施形態に係る画像処理装置１２は、オーバーレイ画像が描画される座標をマスクデータを用いて管理し、記憶されているオーバーレイ画像が背景画像と論理演算されずに用いられる画像であるにもかかわらず当該オーバーレイ画像を重ねて描画される画像は正しい出力画像ではないと判定された場合、記憶されているオーバーレイ画像のうち少なくともいずれかの色成分が描画される画像部分を重ねて出力画像を描画する点で、第１の実施形態及び第２の実施形態に係る画像処理装置１２とは異なる。
【００７６】
本実施形態では、画像処理プログラム３０の描画データ生成部３６において、描画制御部３６２は、印刷データにリソースデータが含まれている場合、オーバーレイ画像に対応するマスクデータを、データ保存部３８にさらに保存する。マスクデータは、オーバーレイ画像に含まれる各画素に対応するビットの集まりである。例えば、オーバーレイ画像の所定の画素について、少なくともいずれかの色成分が描画される場合、この画素に対応するマスクデータは「１」であり、そうでない場合、「０」である。
【００７７】
描画制御部３６２は、オーバーレイ画像を描画する場合、マスクデータの全てのビットを０で初期化し、描画した画素に対応するマスクデータを１とする。また、描画制御部３６２は、マスクデータの保存先アドレスをオーバーレイ管理テーブル３６６にさらに登録する。
【００７８】
描画制御部３６２は、記憶されているオーバーレイ画像が背景画像と論理演算されずに用いられる画像であるにもかかわらず、当該オーバーレイ画像を重ねて描画される画像は正しい出力画像ではないと判定部３６４により判定された場合、データ保存部３８に記憶されているオーバーレイ画像のうち少なくともいずれかの色成分が描画される画像部分（マスクデータが１である画素）を重ねて出力画像を描画する。
【００７９】
図１１は、オーバーレイ管理テーブル３６６に記憶される内容を示す図である。
図１１に示すように、オーバーレイ管理テーブル３６６には、図６に示される項目に加えて、マスクデータの保存先アドレスがさらに記憶されている。
【００８０】
図１２は、本実施形態に係る画像処理装置１２がリソースデータを受信した場合に実行される画像処理（Ｓ５０）のフローチャートを示す。なお、図１２に示された各処理のうち、図７に示された処理と実質的に同一のものには同一の符号が付されている。
図１２に示すように、Ｓ１００〜Ｓ１０２の処理で、リソースデータが受信部３２により受信され、各描画データ生成部３６に対して配信される。さらに、Ｓ１０４の処理で、描画対象の画像がオーバーレイ画像であるか否かが判定される。
【００８１】
描画対象の画像がオーバーレイ画像である場合、ステップ５００（Ｓ５００）において、描画データ生成部３６の描画制御部３６２は、マスクデータ用の領域をデータ保存部３８に確保し、マスクデータの各ビットを０で初期化する。
【００８２】
また、Ｓ１１２の処理で、オーバーレイ画像が描画されると、ステップ５０２（Ｓ５０２）において、描画制御部３６２は、描画した画素に対応するマスクデータを１とする。
さらに、Ｓ１１８の処理で、オーバーレイ画像が保存されると、ステップ５０４（Ｓ５０４）において、描画制御部３６２は、描画されたオーバーレイ画像に関するデータ、このオーバーレイ画像に対応するリソースデータに関するデータ、マスクデータの保存先に関するデータ及びＲＯＰフラグを、オーバーレイ管理テーブル３６６に登録する。
【００８３】
図１３は、本実施形態におけるオーバーレイ展開処理（Ｓ６０）のフローチャートを示す。なお、図１３に示された各処理のうち、図１０に示された処理と実質的に同一のものには同一の符号が付されている。
図１３に示すように、Ｓ４０４の処理で、出力画像においてオーバーレイ画像の重ね合わせ処理の対象となる部分画像領域のいずれかの画素において、ビットが立っていると判定された場合、画像処理プログラム３０の描画データ生成部３６は、Ｓ６００の処理に進む。
【００８４】
ステップ６００（Ｓ６００）において、描画データ生成部３６の描画制御部３６２は、データ保存部３８に記憶されているオーバーレイ画像及びそのマスクデータを読み込む。
ステップ６０２（Ｓ６０２）において、描画制御部３６２は、出力画像において重ね合わせ処理の対象となる部分画像領域のうちマスクデータのビットが１である画素に、読み込んだオーバーレイ画像の画素を貼り付けて合成し、オーバーレイ展開処理を終了する。
【００８５】
次に、本発明の第４の実施形態に係る画像処理装置１２を説明する。
本実施形態に係る画像処理装置１２は、記憶されているオーバーレイ画像を重ねて描画される画像が正しい出力画像であるか否かを判定し、当該画像が正しい出力画像ではない場合、当該オーバーレイ画像が背景画像と論理演算されずに用いられる画像であるか否かを判定する点で、第１の実施形態〜第３の実施形態に係る画像処理装置１２とは異なる。
【００８６】
本実施形態においては、オーバーレイ展開時に、出力画像においてオーバーレイ画像の重ね合わせ処理の対象となる部分画像領域の背景画像データは、ページの初期背景画像データと一致しているものとする。即ち、当該部分画像領域には、いずれの色成分も、描画されていないものとする（例えば、画素値が全て「０」である）。また、例えば色紙が使用される際のように、所定の色補正処理が、初期背景画像データに施されている場合においても、当該初期背景画像データとの一致条件が満たされているものとする。
【００８７】
図１４は、本実施形態におけるオーバーレイ展開処理（Ｓ７０）のフローチャートを示す。なお、図１４に示された各処理のうち、図１３に示された処理と実質的に同一のものには同一の符号が付されている。
図１４に示すように、Ｓ３００の処理は、Ｓ４０４の処理で、出力画像においてオーバーレイ画像の重ね合わせ処理の対象となる部分画像領域のいずれかの色成分のいずれかの画素においてビットが立っていると判定された場合、実行される。
【００８８】
Ｓ３００の処理で、描画データ生成部３６は、ＲＯＰフラグが０である場合にはＳ６００の処理に進み、ＲＯＰフラグが１である場合にはＳ３０６の処理に進んでＳ６００及びＳ６０２の処理とは異なる処理を行う。
【００８９】
したがって、ＲＯＰフラグが１である場合においても、オーバーレイ画像がページに最初に描画される場合及び当該領域に画像がまだ描画されていない場合のいずれかにおいては、Ｓ３０４の処理で、オーバーレイ画像が、描画制御部３６２により、出力画像において重ね合わせ処理の対象となる部分画像領域に貼り付けられる。
【図面の簡単な説明】
【００９０】
【図１】記憶されているオーバーレイ画像と、可変のページデータに基づくページ画像とを用いて生成された出力結果を例示する図である。
【図２】背景画像と記憶されているオーバーレイ画像とが論理演算されて生成された画像を例示する図であって、図２（Ａ）は、背景画像が黒である場合を示し、図２（Ｂ）は、背景画像が白である場合を示し、図２（Ｃ）は、背景画像が赤である場合を示す。
【図３】本発明の実施形態に係る画像処理装置１２を含む画像形成装置１０のハードウェア構成を示す図である。
【図４】本発明の実施形態に係る画像処理装置１２による画像処理方法を実現し、ＣＰＵ１４上で動作する画像処理プログラム３０の機能構成を示すブロック図である。
【図５】描画データ生成部３６Ｃ，３６Ｍ，３６Ｙ，３６Ｋの詳細な構成を示すブロック図である。
【図６】本発明の第１の実施形態においてオーバーレイ管理テーブル３６６に記憶される内容を示す図である。
【図７】本発明の第１の実施形態に係る画像処理装置１２がリソースデータを受信した場合に実行される画像処理（Ｓ１０）のフローチャートを示す。
【図８】本発明の第１の実施形態に係る画像処理装置１２がページデータを受信した場合に実行される画像処理（Ｓ２０）のフローチャートを示す。
【図９】本発明の第１の実施形態に係る画像処理装置１２によるオーバーレイ展開処理（Ｓ３０）のフローチャートを示す。
【図１０】本発明の第２の実施形態に係る画像処理装置１２によるオーバーレイ展開処理（Ｓ４０）のフローチャートを示す。
【図１１】本発明の第３の実施形態においてオーバーレイ管理テーブル３６６に記憶される内容を示す図である。
【図１２】本発明の第３の実施形態に係る画像処理装置１２がリソースデータを受信した場合に実行される画像処理（Ｓ５０）のフローチャートを示す。
【図１３】本発明の第３の実施形態に係る画像処理装置１２によるオーバーレイ展開処理（Ｓ６０）のフローチャートを示す。
【図１４】本発明の第４の実施形態に係る画像処理装置１２によるオーバーレイ展開処理（Ｓ７０）のフローチャートを示す。
【符号の説明】
【００９１】
１０ 画像形成装置
１２ 画像処理装置
１４ ＣＰＵ
１６ メモリ
１８ 記憶装置
２０ ＵＩ装置
２２ 通信ＩＦ
２４ 印刷ＩＦ
２８ 印刷部
３０ 画像処理プログラム
３２ 受信部
３４ データ配信部
３６ 描画データ生成部
３８ データ保存部
３６０ データ受付部
３６２ 描画制御部
３６４ 判定部
３６６ オーバーレイ管理テーブル
３６８ 一時記憶部
【図１】
2009141921.tif 000003
【図２】
2009141921.tif 000004
【図３】
2009141921.tif 000005
【図４】
2009141921.tif 000006
【図５】
2009141921.tif 000007
【図６】
2009141921.tif 000008
【図７】
2009141921.tif 000009
【図８】
2009141921.tif 000010
【図９】
2009141921.tif 000011
【図１０】
2009141921.tif 000012
【図１１】
2009141921.tif 000013
【図１２】
2009141921.tif 000014
【図１３】
2009141921.tif 000015
【図１４】
2009141921.tif 000016